(57)【要約】      （修正有）【課題】一見するだけで、株価の変動を一体的に且つ視覚的に把握して容易に予測することができる全く新規な株価分析用チャート表示システム、及び株価分析用チャートシートを提供する。【解決手段】単位期間内の始値、終値、高値、安値を入力するとともに、その単位期間内の出来高を入力する入力手段と、入力された始値等を処理し、チャートシート等の表示媒体に出力表示する出力表示手段とからなる株価分析用チャート表示システムであって、出力表示される２箇所の始値の表示位置、２箇所の終値の表示位置、１箇所の高値の表示位置、及び１箇所の安値の表示位置の計６箇所の表示位置を結ぶ輪郭線で包囲される形状のケイ線表示部が、表示媒体における日足，週足，月足，年足等に相応する単位期間ごとに出力表示されるとともに、始値及び終値の表示位置間の寸法が、入力された出来高量に応じて設定されていることを特徴とする。【選択図】    図１
2004199629.tif 000002
【特許請求の範囲】
【請求項１】
日足，週足，月足，年足等に相応する単位期間内の始値、終値、高値、安値を入力するとともに、その単位期間内の出来高を入力する入力手段と、入力された始値、終値、高値、安値、及び出来高を処理し、チャートシート(1) 等の表示媒体に出力表示する出力表示手段とからなる株価分析用チャート表示システムであって、出力表示される始値の表示位置は、前記表示媒体における前記始値の数値に相応する縦軸上の同じ高さの位置であって横軸上の異なる２箇所の位置に設定されるとともに、その２箇所の表示位置間の寸法は前記入力された出来高量に応じて設定され、終値の表示位置は、前記表示媒体における前記終値の数値に相応する縦軸上の同じ高さの位置であって前記始値が表示される２箇所の位置と同じ横軸上の２箇所の位置に設定され、高値の表示位置は、前記表示媒体における前記高値の数値に相応する縦軸上の高さの位置であって、前記始値及び終値がそれぞれ表示される２箇所の位置の中間点に相応する横軸上の１箇所の位置に設定され、安値の表示位置は、前記表示媒体における前記安値の数値に相応する縦軸上の高さの位置であって、前記高値が表示される位置と同じ横軸上の１箇所の位置に設定され、前記２箇所の始値の表示位置、２箇所の終値の表示位置、１箇所の高値の表示位置、及び１箇所の安値の表示位置の計６箇所の表示位置を結ぶ輪郭線で包囲される形状のケイ線表示部(5) が、前記表示媒体における日足，週足，月足，年足等に相応する単位期間ごとに出力表示されるように設定されていることを特徴とする株価分析用チャート表示システム。
【請求項２】
２箇所の始値の表示位置が細線で結線されるとともに２箇所の終値の表示位置が細線で結線され、且つ高値の表示位置と安値の表示位置が細線で結線されるように出力表示される請求項１記載の株価分析用チャート表示システム。
【請求項３】
高値と安値との中間値の表示位置が、始値及び終値の表示位置と同じ２箇所の位置に設定されるとともに、設定された２箇所の中間値の表示位置が細線で結線されるように出力表示される請求項１又は２記載の株価分析用チャート表示システム。
【請求項４】
ケイ線表示部(5) のうち、陰線を表すケイ線表示部(5) が、２箇所の始値の表示位置を結線する細線、２箇所の終値の表示位置を結線する細線、高値と安値の表示位置を結線する細線、又は２箇所の中間値の表示位置を結線する細線が表示媒体上に現出される程度に薄く着色されるように出力表示される請求項１乃至３のいずれかに記載の株価分析用チャート表示システム。
【請求項５】
ケイ線表示部(5) の輪郭線の太さが、該ケイ線表示部(5) が表示される単位期間の出来高量に応じて変わるように出力表示される請求項１乃至４のいずれかに記載の株価分析用チャート表示システム。
【請求項６】
各単位期間を個々に識別することのできる識別表示(10)が、単位期間ごとに出力表示される請求項１乃至５のいずれかに記載の株価分析用チャート表示システム。
【請求項７】
ケイ線表示部(5) とは別に、高値、安値、始値、終値、及び高値と安値との中間値、並びに出来高が、ケイ線表示部(5) が表示された単位期間の同行欄(4) 内に、算用数字で縦に出力表示される請求項１乃至６のいずれかに記載の株価分析用チャート表示システム。
【請求項８】
一株株主資本の数値に対応する縦軸上の位置の横方向に、１年分の期間にわたって株主資本表示部(11)が出力表示される請求項１乃至７のいずれかに記載の株価分析用チャート表示システム。
【請求項９】
日足，週足，月足，年足等に応じた単位期間内の始値の数値に相応する縦軸上の同じ高さの位置であって横軸上の異なる２箇所の位置に設定される始値の表示位置と、単位期間内の終値の数値に相応する縦軸上の同じ高さの位置であって前記始値が表示される２箇所の位置と同じ横軸上の２箇所の位置に設定される終値の表示位置と、単位期間内の高値の数値に相応する縦軸上の高さの位置であって、前記始値及び終値がそれぞれ表示される２箇所の位置の中間点に相応する横軸上の１箇所の位置に設定される高値の表示位置と、単位期間内の安値の数値に相応する縦軸上の高さの位置であって、前記高値が表示される位置と同じ横軸上の１箇所の位置に設定される安値の表示位置との計６箇所の表示位置を結ぶ輪郭線で包囲される形状のケイ線表示部(5) が、前記日足，週足，月足，年足等に相応する単位期間ごとに表示され、且つ前記始値若しくは終値が表示される２箇所の表示位置間の寸法によって定められるケイ線表示部(5) の幅は、該ケイ線表示部(5) が表示される単位期間内の出来高量に応じて設定されていることを特徴とする株価分析用チャートシート。
【請求項１０】
２箇所の始値の表示位置が細線で結線されているとともに２箇所の終値の表示位置が細線で結線され、且つ高値の表示位置と安値の表示位置が細線で結線されている請求項９記載の株価分析用チャートシート。
【請求項１１】
高値と安値との中間値の表示位置が、始値及び終値の表示位置と同じ２箇所の位置に設定されるとともに、設定された２箇所の中間値の表示位置が細線で結線されている請求項９又は10記載の株価分析用チャートシート。
【請求項１２】
ケイ線表示部(5) のうち、陰線を表すケイ線表示部(5) が、２箇所の始値の表示位置を結線する細線、２箇所の終値の表示位置を結線する細線、高値と安値の表示位置を結線する細線、又は２箇所の中間値の表示位置を結線する細線が表示媒体上に現出される程度の濃淡の薄さに着色されている請求項９乃至11のいずれかに記載の株価分析用チャートシート。
【請求項１３】
ケイ線表示部(5) の輪郭線の太さが、該ケイ線表示部(5) が表示される単位期間の出来高量に応じた太さに表示されている請求項９乃至12のいずれかに記載の株価分析用チャートシート。
【請求項１４】
各単位期間を個々に識別することのできる識別表示(10)が、単位期間ごとに表示されている請求項９乃至13のいずれかに記載の株価分析用チャートシート。
【請求項１５】
高値、安値、始値、終値、及び高値と安値との中間値、並びに出来高が、ケイ線表示部(5) が表示された欄と同じ単位期間の同行欄(4) 内に、算用数字で縦に表示されている請求項９乃至14のいずれかに記載の株価分析用チャートシート。
【請求項１６】
一株株主資本の数値に対応する縦軸上の位置の横方向に、１年分の期間にわたって株主資本表示部(11)が形成されている請求項９乃至15のいずれかに記載の株価分析用チャートシート。
【請求項１７】
請求項１乃至８のいずれかに記載の株価分析用チャート表示システム、又は請求項９乃至16のいずれかに記載の株価分析用チャートシートを用いて、教授者が受講者に株式投資に関する知識を教授することを特徴とする株式投資に関する知識の教授方法。
【請求項１８】
請求項９乃至16のいずれかに記載の株価分析用チャートシートを、教授者と受講者との双方が所持し、その株価分析用チャートシートに基づいて教授者が受講者に教授することを特徴とする株式投資に関する知識の教授方法。
【請求項１９】
請求項９乃至16のいずれかに記載の株価分析用チャートシートを、教授者と受講者との双方が所持し、単位期間ごとに表示された識別表示(10)を特定しつつ、その識別表示(10)で特定された単位期間の株価、出来高に基づいて教授者が受講者に教授することを特徴とする株式投資に関する知識の教授方法。
【発明の詳細な説明】
【０００１】
【発明の属する技術分野】
本発明は、トレンドやパターン等を認識し、株価や相場の変動を予測するための株価分析用チャートを表示するためのシステム、及びそのような株価分析用チャートを表示するチャート紙等のシート、並びにこれらの表示システム、チャートシートを用いた教授方法に関する。
【０００２】
【従来の技術】
一般に、この種の株価分析用チャートは、たとえば市販の書籍又はパソコン画面等に各企業毎に表示されており、一般投資家は、このような書籍又はパソコン画面等を利用して株価や相場の変動を予測する等の株価の分析を行っている。このような書籍又はパソコン画面等に表示された株価分析用チャートは、一般には、図15に示すように、縦軸に株価、横軸に時期が表示され、その横軸の時期は、日足，週足，月足，年足等に応じて単位期間が設定されている。
【０００３】
すなわち、この株価分析用チャートシート31は、同図に示すように、縦軸に株価、横軸に時期が表示され、その横軸の時期は、日足，週足，月足，年足等に応じて単位期間が設定されている。
【０００４】
そして、このような従来の株価分析用チャートシート31においては、図15及び図16に示すように、実体と称される長方形で包囲された部分32と、ひげと称される線状の部分33からなる多数のケイ線表示部34，…が表示され、このケイ線表示部34によって株価の変動を予測する。
【０００５】
このケイ線表示部31の構成を図16に基づいてより詳細に説明すると、長方形状からなる実体32の部分は始値と終値を表すもので、その長方形の４つのコーナーのうちの２つのコーナーの表示位置35,35(同じ高さのもの）が始値を示し、他の２つのコーナーの表示位置36,36(同じ高さのもの）が終値を示す。
【０００６】
また、ひげと称される上側の線状の部分33の上端位置37が高値を示し、下側の線状の部分33の下端位置38が安値を示し、高値を示す上端位置37が前記始値（終値）の２つの表示位置35,35 を結ぶ線の中央に結ばれて上側のひげが形成され、安値を示す下端位置38が前記終値（始値）の２つの表示位置36,36 を結ぶ線の中央に結ばれて下側のひげが形成されている。
【０００７】
そして、１つのケイ線表示部34を表示する単位期間内において、始値が終値より高い場合には、そのケイ線表示部34の実体の部分32は図16（イ）に示すように白色で陽線として表示され、始値が終値より安い場合には、同図（ロ）に示すようにケイ線表示部34の実体の部分32は黒色で陰線として表示される。
【０００８】
一方、このようなケイ線表示部34とは別に、出来高を示す出来高表示部39が、図15に示すように棒グラフ状に表示されている。
【０００９】
このようなケイ線表示部34が表示されている高さ、すなわち株価と、ケイ線表示部34の白黒の着色、ひげの長さ、出来高表示部39の棒グラフ状の棒の高さ等によって、株価の変動を予測するのである。
【００１０】
【発明が解決しようとする課題】
しかし、このような従来の株価分析用チャートシート31においては、横軸に期間が表示され、その期間が同寸でプロットされているため、各ケイ線表示部34を構成する実体の幅はすべて同じとなる。従って、この幅のみでただちに株価の変動を予測することはできない。
【００１１】
また、高値と安値を表示するひげの部分が線状であるため、高値と安値が一見して判断し難く、特に株価分析用チャートシート31の全体が小さく表示されている場合（たとえば会社四季報や会社情報等では必然的に小さく表示されることとなる）には、ひげの部分自体が見にくくなる場合もある。
【００１２】
さらに、出来高の部分は上記のケイ線表示部34とは別に見なければならないため、この出来高と、高値，安値，始値，終値等との、株価の変動予測の要因となる各要素を全体で一見して把握することは容易ではない。
【００１３】
特に、株式投資の熟練者や専門家ならともかく、一般投資家や初心者にとっては非常に見づらいものである。
【００１４】
本発明は、このような問題点をすべて解決するためになされたもので、株式投資の一般投資家や初心者であっても、一見するだけで、株価の変動を一体的に且つ視覚的に把握して容易に予測することができる全く新規な株価分析用チャート表示システム、及び株価分析用チャートシートを提供することを課題とする。
【００１５】
【課題を解決するための手段】
本発明は、このような課題を解決するために、株価分析用チャート表示システム、及び株価分析用チャートシート、並びにこれらの表示システム、チャートシートを用いた株式投資に関する知識の教授方法としてなされたもので、株価分析用チャート表示システムとしての特徴は、日足，週足，月足，年足等に相応する単位期間内の始値、終値、高値、安値を入力するとともに、その単位期間内の出来高を入力する入力手段と、入力された始値、終値、高値、安値、及び出来高を処理し、チャートシート１等の表示媒体に出力表示する出力表示手段とからなる株価分析用チャート表示システムであって、出力表示される始値の表示位置は、前記表示媒体における前記始値の数値に相応する縦軸上の同じ高さの位置であって横軸上の異なる２箇所の位置に設定されるとともに、その２箇所の表示位置間の寸法は前記入力された出来高量に応じて設定され、終値の表示位置は、前記表示媒体における前記終値の数値に相応する縦軸上の同じ高さの位置であって前記始値が表示される２箇所の位置と同じ横軸上の２箇所の位置に設定され、高値の表示位置は、前記表示媒体における前記高値の数値に相応する縦軸上の高さの位置であって、前記始値及び終値がそれぞれ表示される２箇所の位置の中間点に相応する横軸上の１箇所の位置に設定され、安値の表示位置は、前記表示媒体における前記安値の数値に相応する縦軸上の高さの位置であって、前記高値が表示される位置と同じ横軸上の１箇所の位置に設定され、前記２箇所の始値の表示位置、２箇所の終値の表示位置、１箇所の高値の表示位置、及び１箇所の安値の表示位置の計６箇所の表示位置を結ぶ輪郭線で包囲される形状のケイ線表示部５が、前記表示媒体における日足，週足，月足，年足等に相応する単位期間ごとに出力表示されるように設定されていることである。
【００１６】
また、株価分析用チャートシートとしての特徴は、日足，週足，月足，年足等に応じた単位期間内の始値の数値に相応する縦軸上の同じ高さの位置であって横軸上の異なる２箇所の位置に設定される始値の表示位置と、単位期間内の終値の数値に相応する縦軸上の同じ高さの位置であって前記始値が表示される２箇所の位置と同じ横軸上の２箇所の位置に設定される終値の表示位置と、単位期間内の高値の数値に相応する縦軸上の高さの位置であって、前記始値及び終値がそれぞれ表示される２箇所の位置の中間点に相応する横軸上の１箇所の位置に設定される高値の表示位置と、単位期間内の安値の数値に相応する縦軸上の高さの位置であって、前記高値が表示される位置と同じ横軸上の１箇所の位置に設定される安値の表示位置との計６箇所の表示位置を結ぶ輪郭線で包囲される形状のケイ線表示部５が、前記日足，週足，月足，年足等に相応する単位期間ごとに表示され、且つ前記始値若しくは終値が表示される２箇所の表示位置間の寸法によって定められるケイ線表示部５の幅は、該ケイ線表示部５が表示される単位期間内の出来高量に応じて設定されていることである。
【００１７】
２箇所の始値の表示位置や２箇所の終値の表示位置間は、それぞれ細線で結線することも可能であり、また高値の表示位置と安値の表示位置を細線で結線することも可能である。さらに、高値と安値との中間値の表示位置を、始値及び終値の表示位置と同じ２箇所の位置に設定し、その設定された２箇所の中間値の表示位置を細線で結線することも可能である。
【００１８】
また、ケイ線表示部５のうち、陰線を表すケイ線表示部５は、２箇所の始値の表示位置を結線する細線、２箇所の終値の表示位置を結線する細線、高値と安値の表示位置を結線する細線、又は２箇所の中間値の表示位置を結線する細線が表示媒体上に現出される程度に薄く着色されることが好ましい。
【００１９】
さらに、ケイ線表示部５の輪郭線の太さは、該ケイ線表示部５が表示される単位期間の出来高量に応じて変わるように表示することも可能である。
【００２０】
また、株価分析用チャートシートには、各単位期間を個々に識別することのできる識別表示10を、単位期間ごとに表示することが可能である。
【００２１】
同じ単位期間の同行欄４内には、上記のようなケイ線表示部５を表示する他に、そのケイ線表示部５とは別に、高値、安値、始値、終値、及び高値と安値との中間値、並びに出来高を表示することが可能である。この場合、同じ単位期間の同行欄４内に表示される高値、安値、始値、終値、及び高値と安値との中間値、並びに出来高は、算用数字で縦に表示することが好ましい。
【００２２】
さらに、一株株主資本の数値に対応する縦軸上の位置の横方向に、１年分の期間にわたって株主資本表示部11を表示することも可能である。この場合、一株株主資本の数値のみならず、その数値の所定の倍率の数値に対応する縦軸上の位置の横方向に、株主資本表示部11を表示することも可能である。
【００２３】
さらに、株式投資に関する知識の教授方法としての特徴は、上記のような株価分析用チャート表示システム、又は株価分析用チャートシートを用いて、教授者が受講者に株式投資に関する知識を教授することである。株価分析用チャートシートを用いる場合には、たとえば教授者と受講者との双方が同じチャートシートを所持し、そのチャートシートに基づいて教授者が受講者に教授する。
【００２４】
チャートシートの単位期間ごとに識別表示10が表示されている場合には、その識別表示10で特定された単位期間の株価、出来高に基づいて教授者が受講者に教授することができる。
【００２５】
本発明の株価分析用チャート表示システム及び株価分析用チャートシートにおいては、始値若しくは終値が表示される２箇所の表示位置間の寸法によって定められるケイ線表示部５の幅が、そのケイ線表示部５が表示される日足，週足，月足，年足等に相応する単位期間内の出来高量に応じて設定されているため、その出来高に比例したケイ線表示部５の幅を確認することによって出来高を一見して把握できることとなる。
【００２６】
さらに、単位期間内の始値の２箇所の表示位置又は終値の２箇所の表示位置と、高値を表す１箇所の表示位置又は安値を表す１箇所の表示位置とが、それぞれ斜め方向に結線された場合には、ケイ線表示部５は全体が略六角形状に形成されることとなる。
【００２７】
このような形状になる結果、高値又は安値の表示位置に結合される斜め方向の線のなす角度の大小、すなわちケイ線表示部５の上下先端部の形状によって、その高値又は安値が単位期間内において突出した価格であるか否か等が容易に判断できる。高値又は安値が単位期間内において突出した価格である場合には、上記斜め方向の線のなす角度が小さくなり、単位表示部の上下先端部の形状が略楔形状となり、使用者の視覚に強く訴えることとなる。
【００２８】
ちなみに、株価が長期間低迷しているときに、幅の広いケイ線表示部５が形成されると、それが１つの相場上昇の転換点であると予測できるのである。特に、そのケイ線表示部５の上側の先端部の角度が鋭角になると、相場上昇の転換点である可能性が一層強い。また、陽線を表す色が表示されれば、その可能性がさらに強まる。
【００２９】
一方、株価が長期間上昇し続けているときに、幅の広いケイ線表示部５が形成されると、相場下降の転換点であると予測できるのである。特に、そのケイ線表示部５の下側の先端部の角度が鋭角になると、相場下降の転換点である可能性が一層強い。また、陰線を表す色が表示されれば、その可能性がさらに強まる。
【００３０】
このように、ケイ線表示部５の幅の広さ（出来高）、ケイ線表示部５の先端の形状が略楔形状であるか否か、或いはケイ線表示部５の色（陽線か陰線が）等によって、一体的に一見して株価変動を予測することができるのである。
【００３１】
【発明の実施の形態】
以下、本発明の実施形態について図面に従って説明する。
【００３２】
図１において、１は一実施形態としての株価分析用チャートシートで、縦軸２には株価が表示でき、横軸３には時期が表示できるように構成されている。本実施形態においては、株価分析用チャートシートは、縦1.2m、横1.5mの大型のチャートシートが用いられている。
【００３３】
本実施例の株価分析用チャートシート１は、１つの銘柄について１つずつ形成されることとなり、従って縦軸２の株価の表示は、その銘柄に応じて株価や縦軸方向の単位寸法あたりの値幅が設定されている。
【００３４】
また横軸３の時期も、銘柄に応じて、その横軸方向の単位期間、すなわち日足，週足，月足，年足等に応じて単位期間が設定され、その単位期間ごとに枠で区分された同行欄４，…が形成されている。また、その出来高が成立した期間の年月日等も表示される。ただし、この同行欄４，…の幅は、単位期間の出来高数に応じて単位期間ごとに異なった寸法の幅になる。
【００３５】
この出来高に応じた単位期間の同行欄４の幅の設定は、後述するような株価分析用チャート表示システムの入力手段13による入力時に行われる。具体的には、株価を表示する総期間（たとえば年足の場合には総年数、月足の場合には総月数、週足の場合には総週数、日足の場合には総日数となる）における総出来高を求め、単位期間における出来高数が算出されて、その単位期間における出来高数の数値が入力されるのである。
【００３６】
そして、表示すべき株価は、図１及び図２に示すようなケイ線表示部５で表示される。このケイ線表示部５は、図２に示すように始値を表す２箇所の表示位置６，６と、終値を表す２箇所の表示位置７，７とが縦方向にそれぞれ２つの線で結線され、始値を表す２箇所の表示位置６，６と高値を表す１箇所の表示位置８とがそれぞれ斜め方向に２つの線で結線され、さらに終値を表す２箇所の表示位置７，７と安値を表す１箇所の表示位置９とがそれぞれ斜め方向に２つの線で結線されて全体が略六角形状に形成されている。
【００３７】
そして、始値が終値より高い場合には、図２（イ）に示すように白色（白抜き）に表示されて陽線であることが示され、始値が終値より安い場合には、同図（ロ）に示すように灰色に着色されて陰線であることが示されることとなる。
【００３８】
このように表示されるケイ線表示部５の形状は、２箇所の始値の表示位置６,６、２箇所の終値の表示位置７,７、高値の表示位置８、安値の表示位置９をそれぞれ頂点とする略六角形状に形成されたものである点で共通するが、その形状は必然的に始値、終値、高値、安値の価格に応じて単位期間ごとにすべて異なるものとなる。また、出来高の相違に応じてケイ線表示部７の幅も異なったものとなる。
【００３９】
従って、たとえば図２（イ）に示すようにケイ線表示部５の上側の２辺のなす角度が小さく、鋭利な楔形状である場合には、その高値は単位期間内において突出した価格であることが判断できる。さらに、ケイ線表示部５の幅が大きい場合には、出来高が多いことが判断できる。
【００４０】
さらに、ケイ線表示部５が図２（イ）に示すように白色（白抜き）に表示されている場合には、始値が終値より高いこと、すなわち陽線であることが容易に判断できる。
【００４１】
一般に、相場が長期間低迷しているときに大出来高となれば、それが１つの相場上昇の転換点であるとの一応の予測ができ、また相場が長期間上昇しているときに大出来高となれば、それが１つの相場下降の転換点であるとの一応の予測ができるが、本実施形態では、ケイ線表示部５の幅の寸法が、出来高に比例して形成されるため、一見して相場の上昇への転換点や下降への転換点を予測することができる。
【００４２】
また、単位期間内において高値又は安値が突出した価格であるか否かも、上記出来高に加えて相場変換点の判断の目安の１つとなるが、特に、本実施形態では、ケイ線表示部５が上記のような略六角形状に形成されているため、高値又は安値が単位期間内で突出していれば、そのケイ線表示部５の上下２辺のなす角度が小さくなって鋭角になり易く、ケイ線表示部５の全体の形状が略楔形となるため、この形状が使用者の視覚に訴え易いものとなる。
【００４３】
従って、相場が長期間低迷しているときに、ケイ線表示部５の幅が広く（大出来高を意味する）且つその上側先端部の角度が鋭角（高値が単位期間内で突出していることを意味する）になれば、その時期が相場上昇の転換点であると、一見して判別できることとなる。つまり、安値圏で株価が変動しつつあることを認識できるのである。
【００４４】
図２（イ) のようにケイ線表示部５が白色で陽線を表示していれば、相場上昇の転換点である可能性がより高まることとなる。
【００４５】
一方、相場が長期間上昇しているときに、ケイ線表示部５の幅が広く（大出来高を意味する）且つその下側先端部の角度が鋭角（安値が単位期間内で突出していることを意味する）になれば、その時期が相場下降の転換点であると、一見して判別できることとなる。つまり、高値圏で株価が変動しつつあることを認識できるのである。
【００４６】
図２（ロ）のようにケイ線表示部５が灰色で陰線を表示していれば、相場下降の転換点である可能性がより高まることとなる。
【００４７】
尚、ケイ線表示部５の下側の２辺のなす角度が大きくほとんど直線に近い場合には、その安値は単位期間内においては終値とほぼ同じであることが判断でき、この場合には相場上昇の転換点である可能性がさらに高まり、ケイ線表示部５の上側の２辺のなす角度が大きくほとんど直線に近い場合には、その高値は単位期間内においては始値とほぼ同じであることが判断でき、この場合には相場下降の転換点である可能性がさらに高まる。
【００４８】
このように、本実施形態では、ケイ線表示部５の幅の広さや上下先端部の楔形形状の有無等によって、株式投資の初心者であっても、株価分析用チャートシート１を一見するだけで、相場の上昇，下降の転換点を視覚を通じて容易に予測することができるのである。
【００４９】
次に、ケイ線表示部５のより具体的な構成を、図３に従って説明する。ケイ線表示部内には、同図に示すように、始値を表す２箇所の表示位置６，６を結ぶ実線の細線18、及び終値を表す２箇所の表示位置７，７を結ぶ実線の細線19がそれぞれ横方向に表示されている。
【００５０】
また、高値を表す表示位置８と安値を表す表示位置９も結線されているが、その結線部分のうち、高値の表示位置８から前記始値の表示位置６，６を結ぶ細線18に至る部分、及び安値の表示位置９から前記終値の表示位置７，７を結ぶ細線19に至る部分は、それぞれ実線の細線20、21が縦方向に表示されている。ただし、これらの細線20、21から前記横方向の細線18,19の内側に延長された部分は、点線の細線22が縦方向に表示されている。さらに、高値と安値の中間値の部分は、点線の細線23が横方向に表示されている。
【００５１】
上記のようなケイ線表示部は、略六角形状の輪郭線のコーナー部（六角形の頂点）にそれぞれの始値、終値、高値、安値が表されているので、その輪郭線の６つのコーナー部から始値、終値、高値、安値の数値を読み取ることはもちろんできるのであるが、ケイ線表示部の形状が略六角形状であるが故に、始値、終値、高値、安値の計６つのコーナー部の点状表示位置は逆に一般のローソク足と称されるケイ線表示部に比べると読み取りにくい場合もありうる。
【００５２】
特に、図３に示すようにケイ線表示部５の輪郭線が比較的太く描かれ、しかも隣接するケイ線表示部が相互に接近している場合には、６つのコーナー部、特に始値、終値のコーナー部（表示位置）から始値、終値の数値を読み取るのが必ずしも容易でない場合がある。
【００５３】
しかし、本実施形態では始値の表示位置６，６を結ぶ細線18、及び終値の表示位置７，７を結ぶ細線19が横方向に表示されているので、これらの細線18,19をチャートシート１の横軸の株価の目盛りと照合することによって、始値、終値の数値を容易に読み取ることができるのである。
【００５４】
また、高値、安値の数値は、始値、終値の数値に比べると読み取り易いが、上記のように実線の細線20、21及び点線の細線22が縦方向に表示されていることによって、高値及び安値が表示されている点状表示位置をより容易に読み取ることができるのである。
【００５５】
さらに、高値、安値の中間値の部分には点線の細線23が横方向に表示されているので、中間値の数値もこの点線の細線23をチャートシート１の横軸の株価の目盛りと照合することによって容易に読み取ることができる。
【００５６】
図３においては、４つのケイ線表示部5a,5b,5c,5d が表示されており、これらのうち、陽線を表す３つのケイ線表示部5b,5c,5dは、白色（白抜き）で表示されているので、それぞれのケイ線表示部5b,5c,5d内の実線の細線18,19,20,21 及び点線の細線22,23 が明確に現出されることはいうまでもないが、陰線を表すケイ線表示部5aは、一般のローソク足のケイ線表示部のように黒色に塗りつぶされているのではなく、灰色に薄く着色されているので、上記実線の細線18,19,20,21 及び点線の細線22,23 が現出される上で何ら支障を生ずることがないのである。
【００５７】
さらに、横方向に表示されている始値を表す細線18、終値を表す細線19、中間値を表す細線23の寸法は、ケイ線表示部の幅、別言すれば同行欄４の幅に合致しているため、これらの細線18、19、23の寸法を読み取ることで、出来高量を容易に判読することができる。特に、ケイ線表示部5aの六角形という図形の幅の寸法を読み取るよりも、細線18、19、23の線分の寸法を読み取る方が容易であり、この意味でも細線18、19、23が表示されていることで、出来高量の確認がより容易になるのである。
【００５８】
ちなみに、図３においては、ケイ線表示部5aとケイ線表示部5cでは、始値と終値との数値の差が比較的大きく、従って中間値を表す細線23が始値を表す細線18と終値を表す細線19との間に存在しており、また輪郭線の縦方向の直線部分の寸法が比較的長いので、ケイ線表示部5a,5c の幅からでも或いは細線18、19、23の寸法からでも比較的容易に出来高量を読み取ることができる。
【００５９】
これに対して、ケイ線表示部5bとケイ線表示部5dでは、始値と終値との数値の差が比較的小さく、中間値を表す細線23が、始値を表す細線18と終値を表す細線19との間の外側にあり、また輪郭線の縦方向の直線部分の寸法が比較的短いので、ケイ線表示部5b,5d の幅からでは出来高量を必ずしも容易に読み取れるわけではない。特にケイ線表示部5dでは、始値を表す細線18と終値を表す細線19とが非常に接近しており、ケイ線表示部5dの幅のみでは出来高量の確認は容易ではない。
【００６０】
しかし、始値を表す細線18と終値を表す細線19との間の外側にある中間値を表す細線23は、ケイ線表示部5b,5d の輪郭線からもはみ出しており、特にケイ線表示部5dでは輪郭線の外側に大幅にはみ出しているので、中間値を表す細線23からの出来高量の読み取りが容易に行えることとなるのである。
【００６１】
尚、ケイ線表示部5aは陰線を表わしているので、他のケイ線表示部5b,5c,5dとは異なり、終値の表示位置を結ぶ細線19が上側に位置し、始値の表示位置を結ぶ細線18が下側に位置している。
【００６２】
さらに、ケイ線表示部５の輪郭線の太さは、そのケイ線表示部５が表示された単位期間内の出来高量に応じて変わるように設定されている。つまり、幅の広いケイ線表示部５ほど輪郭線が太くなるように設定されている。たとえば図４においては、５つのケイ線表示部5a,5b,5c,5d,5e,5f が表示されているが、単位期間内の出来高量が多く幅の広いケイ線表示部5d,5f は、輪郭線が最も太く形成されており、幅の広さに比例してケイ線表示部5b,5c,5e,5a の順に輪郭線が徐々に細くなっている。
【００６３】
最も極端な例は図５に示されている。すなわち、他の５つのケイ線表示部5b,5c,5d,5e,5fに比べて著しく出来高量が多く幅の広いケイ線表示部5aは、またその輪郭線も他のケイ線表示部5b,5c,5d,5e,5fに比べて著しく太くなっている。
【００６４】
さらに、ケイ線表示部５の形状は、上述のように基本的には六角形状のものであるが、これは始値、終値、高値、安値の４種類の数値がすべて異なる場合であり、五角形や四角形にもなりうる。上述の「略六角形状」とは、始値、終値、高値、安値に応じて種々の六角形の形状に変化しうる他に、六角形以外の五角形や四角形にもなりうることも含む意味である。
【００６５】
たとえば図６には４つのケイ線表示部5a,5b,5c,5d が表示されているが、ケイ線表示部5aは六角形であるが、ケイ線表示部5bは始値と安値が同じで五角形となっている（陰線であるため、始値が下側に位置している）。さらにケイ線表示部5dは、始値と高値が同じで且つ終値と安値が同じであるために四角形となっている。ケイ線表示部5cは、終値と安値が同じで高値が始値に非常に近く、四角形に近似した形状となっている。
【００６６】
一方、上記のようなケイ線表示部５とは別に、同行欄４ごとに、番号や記号等の識別表示10が表示されている。本実施形態においては、図１に示すように、１〜40の番号で識別表示10が表示されている。また、図１には示さないが、出来高を示す数字が、同行欄４ごとに表示されている。さらに、上記出来高以外に、単位期間の高値、安値、始値、終値、及びその単位期間における高値と安値との中間の株価（中間値）が、それぞれ数字情報として表示されている。また、単位期間自体の表示、たとえば月足であれば、１月、２月、３月…等の該当する月の表示がなされている。
【００６７】
図１に示されない詳細な部分を、一例として図７乃至図９に示す（ただし、図７乃至図９は図１とは別の銘柄のチャートである）。図７及び図８には、全体の表示がなされており、同行欄内において、上側から始値、終値、識別表示、単位期間（単位期間が月足であり月が表示されている）、高値、ケイ線表示部、安値、出来高、高値と安値との中間値の順で表示されている。上記各情報を表示する数字は、すべて算用数字で縦書きに表示されている。図９はやや拡大された図であるために、これらの数字情報がより明確に表されている。
【００６８】
さらに図10は別の銘柄のチャートでさらに拡大された図であるが、この図10においては、一株株主資本の数値に対応する縦軸上の位置の横方向に、１年分の期間にわたって株主資本表示部11が形成されている。この株主資本表示部11の両端は、矢印で表示されている。
【００６９】
また、図示はされていないが、一株株主資本の数値の整数倍の数値（２倍、３倍、４倍、５倍等）に対応する縦軸上の位置の横方向にも、１年分の期間にわたって株主資本表示部が表示される。この場合、整数倍の数値のみならず、少数倍や分数倍の倍率の数値で株主資本表示部を表示することも可能である。要は、一株株主資本の数値の所定の倍率の数値で表示することができるのである。ここで所定の倍率とは、整数倍、少数、分数を問わず、一株株主資本の数値に対して一定の倍率を有する数値を意味するものである。
【００７０】
図10では、一株株主資本の数値で表示されている（1.00は倍率が１倍であること、すなわち一株株主資本の数値そのものであることを意味している）。図10において(1.00)＝523 は、銘柄に係る会社のみの一株株主資本の値が523 円であることを示し、株主資本表示部11の両端の矢印は、黒で塗りつぶされている。また、同図において、(1.00)＝587 は、銘柄に係る会社及びその関連会社の一株株主資本の数値が587 円であることを示し、株主資本表示部の両端の矢印は白抜きにされている。ちなみに、このような株主資本表示部11は、前述の図４にも示されている。
【００７１】
図11乃至図13は、さらに別の銘柄を拡大した図であり、図11ではケイ線表示部５とともに各数字情報が表示されている。図12及び図13は、数字をより大きく拡大した状態を示し、図12では始値、終値、識別表示、月、高値等が表示されており、図13では出来高、高値と安値との中間値、識別表示等が表示されている。安値は図11に表示されている。
【００７２】
図12において、たとえば「Ｓ１０６４１」や「Ｓ１１１０６」は、始値が10641 円或いは11106 円であることを示し、「Ｅ１０５８８」や「Ｅ１１４９３」は、終値が10588 円或いは11493 円であることを示す。また「＊３３５」、「＊３３６」、「＊３３７」等は識別表示であり、「３月」、「４月」、「５月」等は、表示された同行欄がそれぞれ３月、４月、５月の株価等を示すものであり、「Ｈ１２０８１」や「Ｈ１３０３４」は、高値が12081 円或いは13034 円であることを示す。
【００７３】
さらに、図11において、たとえば「Ｌ９５４８」や「Ｌ９５３９」は安値が9548円或いは9539円であることを示し、「Ｖ１５９６３．３５」や「Ｖ１５６０６．４７」は、出来高が15963 或いは15606 で、…が35或いは47であることを示し、「Ｍ１１６６６」や「Ｍ１０９８３」は、高値と安値との中間値が11666 円或いは10983 円であることを示す
【００７４】
上述のように、特殊な形態のケイ線表示部５によって株価の変動を予測することができるが、高値、安値、始値、終値等の数字で表された株価と、数字で表された出来高によってもまた、株価の変動を予測することができるのである。
【００７５】
さらに、株価は、上記ケイ線表示部５以外に、単位期間の高値、安値、始値、終値、及びその単位期間における高値と安値との中間の株価が、出来高と同様にそれぞれ数字情報として表示され、しかもこれらの数字は、すべて算用数字で同じ単位期間の同行欄４内に縦書きに表示されているので、各単位期間の株価をより容易に把握することができる。
【００７６】
さらに、上記図４や図10のように一株株主資本の数値や、その整数倍等、所定の倍率の数値に対応する縦軸上の位置の横方向に、１年分の期間にわたって株主資本表示部11が表示されていれば、一株株主資本の数値やその所定の倍率の数値と株価との相関関係を一目で容易に把握することができる。すなわち、一般に株価の変動の性質として、一株株主資本の所定の倍率の数値の近辺まで下落したとき、その一株株主資本の所定の倍率の数値の近辺から急激に上昇するという性質があり、この動向をチャート紙面上で容易に把握することができるのである。
【００７７】
さらに、本実施形態においては、上記のような同行欄４内であって、ケイ線表示部５、出来高の表示部分、及びその他の文字情報部分以外の余白部分12が存在している。この余白部分12には、たとえば政治，経済，会社の決算，新技術の開発等、株価の変動を左右する要因となる株価変動要因情報を表示することができる。
【００７８】
このような株価変動要因情報は、各単位期間に必ず生じるわけではないので（たとえば単位期間が日足で表示されている場合、毎日生ずるわけではない）、すべての単位期間の同行欄４内の余白部分12に株価変動要因情報が表示されるわけではなく、株価変動要因情報が生じた単位期間に相応する同行欄４内の余白スペース12のみに表示されることになる。この結果、使用者は、チャートシート１内で、株価変動要因情報を、ケイ線表示部５等の株価や出来高に関する表示とともに認識することができるので、株価変動要因情報が生じた時期を、株価や出来高等とともに、或いはその時期の前後の株価の変動等とともに、チャートシートを一目見るだけで判断することができる。
【００７９】
たとえば○月○日に○○内閣が誕生すれば、「○○内閣誕生」の文字が、○月○日に対応する単位期間の同行欄４内の余白部分12に表示されることとなる。また、たとえば×月×日にニューヨーク市況の株価が暴落すれば、「ニューヨーク市況株価暴落」の文字が、×月×日に対応する単位期間の同行欄４内の余白部分12に表示されることとなる。さらに、たとえば△月△日に△△会社の決算が公表され、赤字であれば、「△△会社赤字決算」の文字が、△月△日に対応する単位期間の同行欄４内の余白部分12に表示されることとなる。
【００８０】
次に、一実施形態の株価分析用チャート表示システムについて説明する。
先ず、特定の銘柄の株価の始値，終値，高値，安値の４本値と、出来高とを、単位期間ごとにコンピュータに入力する。
【００８１】
コンピューターとしては、パーソナルコンピューターや、大型コンピューターを使用することが可能であるが、本実施形態では、パーソナルコンピューターが用いられる。このパーソナルコンピューターには、図14に示すように、入力手段13、制御手段14、記憶手段15、出力手段16が具備されている。入力手段13としては、前記パーソナルコンピューターに接続されたキーボードが用いられ、そのキーボードによって株価、出来高、株価変動要因情報等の情報が入力される。ただし、取り扱う銘柄が多い場合等には、キーボードによる入力の煩雑さ等を解消するため、証券取引所や、証券取引所と契約した株価情報提供会社等からリアルタイムで提供される株価を、オンラインで入力することも可能である。
【００８２】
情報を入力する場合について具体的に説明すると、先ず○月○日の株価の始値，終値，高値，安値の４本値と、その日の出来高とを入力する。これをすべての単位期間（たとえば日足）について入力する。
【００８３】
尚、単位期間は、出力して表示すべき単位期間の種別、すなわち日足，週足，月足，年足等のいずれかを予め選定し、たとえば日足であれば、出力されるチャートシートに日ごとに同行欄４が形成されるように設定する。
【００８４】
入力された情報は、制御手段14を介して記憶手段15で記憶される。この記憶手段15としては、たとえばパーソナルコンピューター内のハードディスクやメモリー等が採用され、また制御手段14としては、たとえばＣＰＵ（中央処理装置）等が採用される。
【００８５】
記憶手段15で記憶された情報は、制御手段14で処理され、必要に応じて出力手段16で出力されてチャートシート１に表示されることとなる。出力表示は、大型印刷機又は大型プリンター等で、大型表示面を有するチャートシート１になされる。出力表示に際しては、入力された単位期間内の株価の始値，終値，高値，安値の４本値の情報に基づいて、陰線又は陽線で表されるケイ線表示部５が単位期間ごとに同行欄４内に表示される。
【００８６】
さらに、図１には示さないが、入力された単位期間内の出来高の情報に基づいて、その出来高の数字が単位期間ごとに表示される。また、出来高以外に、単位期間の高値、安値、始値、終値、及びその単位期間における高値と安値との中間の株価が、それぞれ数字情報として表示される。さらに、同行欄４ごとに、上記のような１〜40の番号の識別表示10が表示される。
【００８７】
そして、上記のような各情報は、チャートシートの大型表示紙面に印刷されているため、使用者にとって非常に見やすいものとなる。
【００８８】
上記のような株価分析用チャート表示システムによって出力されたチャートシート１は、それ自体が大型表示紙面を有して非常に見易いものであるため、一般投資家がそれを保有して利用することもむろん可能である。
【００８９】
しかし、株式投資に関する知識が乏しい者や株式投資の初心者にとっては、書籍又はパソコン画面等の小さなスペースに表示された一般の株価分析用チャートに比べると、把握し易く、相場の変動の予測がし易いものではあるが、実際の「売り」と「買い」を行うに際して複雑な株価の動向等を予測することはやはり容易ではない。
【００９０】
そこで、そのようなノウハウや株式投資に関する知識をたとえば株式投資の専門家に教授してもらえれば非常に好都合である。たとえば上記のような株式投資の専門家が株式投資の知識を教授すべく講座や学習塾を開設し、一般投資家や初心者等の受講者に株式投資に関する知識を教授するような場合に、上記のような株価分析用チャート表示システムやチャートシートを利用することができる。
【００９１】
すなわち、上記のようなチャートシートの大型表示紙面に、ケイ線表示部５、出来高その他の数字情報が表示された株価分析用チャートシートであって、同じ銘柄の同じ情報を表示したものを、教授者と受講者とがそれぞれ保有し、それを見ながら受講者は教授者の講義を受けることができる。
【００９２】
この場合、受講者は、表示紙面が大型で見易く、しかも上記のような特殊な形態のケイ線表示部５が表示された特殊なチャートシート１を保有しそれを見ながら専門家の講義を聴講することができるため、株価の変動の予測、「売り」と「買い」のタイミング等、株式投資に関する知識やノウハウを、習得することが容易となる。
【００９３】
このように、教授者と受講者との双方でチャートシートが利用される場合、各同行欄４ごとに、上述のように番号や記号等の識別表示10が表示されることによって、教授者と受講者間の知識の教授がより効果的に行われることとなる。
【００９４】
これをより具体的に説明すると、たとえば教授者が「ＮＯ．○○の欄を見てください。その欄の株価と出来高は…」と受講者に説明をするような場合に、教授者と受講者との双方が、チャートシート１内における株価や時期等の同じ表示情報を特定するのが非常に容易となり、教授者にとって説明を容易に行えるだけでなく、受講者にとっても理解が容易となるのである。
【００９５】
この識別表示10が表示される場所は、特に限定されるものではないが、ケイ線表示部７の所定間隔隔てた上下に表示されるのが好ましい。このように所定間隔隔てた表示部の上下に識別表示10が表示されることによって、株価の上下の変動に応じて識別表示10を視認することができ、受講者の視覚により効果的に訴えることができる。
【００９６】
また、上記のような出来高、単位期間の高値、安値、始値、終値、及びその単位期間における高値と安値との中間の株価等の数字情報も、ケイ線表示部７の所定間隔隔てた上下に表示されることによって、出来高その他の各数字情報を、受講者の視覚により効果的に訴えることができることとなる。特に、これらの数字情報は、算用数字で縦に表示されているので、すべて同行欄４内に納めることができ、従って教授者と受講者との双方が同じチャート紙面を見て知識の授受を行うのが非常に容易となる。
【００９７】
上述のように、各単位期間の同行欄４内には、ケイ線表示部７や出来高が表示され、さらに始値、終値、高値、安値、識別表示等の各種の情報が表示されるが、図１に示すように、チャートシートの右側の複数行の同行欄４には、ケイ線表示部７や各情報が全く表示されておらず、余白欄17として形成されている。これは、余白欄17に、新たな株価情報をその都度記入することができるようにするためである。
【００９８】
すなわち、上記のような所定の情報が出力表示されて得られたチャートシートには、すでに所定の時期までの情報が印字等によって表示されているのであるが、当然のことながらその時期以後の株価は、リアルタイムで加えていく必要がある。その場合、上述のような余白欄17が形成されていれば、所定の時期までの情報が表示されたチャートシートを保有する使用者は、新聞やインターネットの株価情報を自分で確認して、所定時期以後の株価を上記余白欄17に自分で記入することができる。
【００９９】
この結果、所定時期以後の単位期間の株価情報を自分で記入することで、保有するチャートシートを常に最新のケイ線図として利用することができるのである。特に、所定の時期までの株価情報を表示した状態のチャートシートを、株式投資の知識の教授を行う教授者が受講者に渡すことにより、以後の株価情報を受講者が自分で記入することで、受講者自身の知識の向上にも寄与するととなる。
【０１００】
尚、上記実施形態では、チャートシート１として、縦1.2m、横1.5mのチャートシートを用いたが、チャートシート１の寸法はこれに限定されるものではなく、その大きさは問うものではない。ただし、縦は１m 〜６m であり、横は0.8 〜６m であることが好ましい。縦が１m 以下、横が0.8m以下であると、本発明のチャートシートに要求される「見易さ」が損なわれるおそれがあるからである。
【０１０１】
すなわち、本発明のチャートシートにおいては、上記のように数字で表示される各情報は、単位期間ごとに区分して形成された同行欄４内に表示されることになるので、表示された各情報がある程度見易い状態であるためには、同行欄４の幅と長さを一定寸法以上確保する必要があり、そのためには、チャートシート１の大きさも一定以上必要となる。同行欄４の幅が狭すぎると、表示できる文字等が非常に小さくなり、見易い状態であるためには、横が0.8m以上であることが好ましい。
【０１０２】
また、チャートシート１の構成上、上記のような各情報の文字は縦書きに表示され、しかもケイ線表示部５が表示されている部分以外の余白スペースに表示しなければならないため、同行欄４の縦の長さも一定以上必要となる。この観点から、上記のように縦が１m 以上であることが好ましい。
一方、縦，横ともに６m 以上となると、そのような大型の印刷機を準備するのが困難となるため、その観点から縦，横ともに６m 以下であることが好ましい。
【０１０３】
また、上記実施形態では、１枚のチャートシートを用いる場合について説明したが、複数枚のチャートシートを繋ぎ合わせて使用することも可能である。株価の変動を長期にわたって検討し、考察するためには、その分単位期間が多くなり、従って寸法にある程度の限界のあるチャートシートを繋ぎ合わせて使用する必要が生ずる場合があるからである。
【０１０４】
さらに、上記実施形態では、チャートシート１が紙で構成されている場合について説明したが、チャートシート１の材質は紙に限定されるものではなく、たとえば合成樹脂製のシートを用いることも可能であり、そのチャートシート１の材質は問わない。ただし、取り扱いの便宜、表示のしやすさ、コスト等の観点からは、紙製のものが好ましい。
【０１０５】
さらに、上記実施形態では、チャートとして表示すべき各種の情報を、チャートシート１に出力したが、チャートシート１に出力することは本発明に必須の条件ではなく、他の表示媒体に表示することも可能である。
【０１０６】
たとえば壁面にスクリーンをかけ、そのスクリーンに、パーソナルコンピュータの画面に表示される画像と同じものを映写させることによって表示してもよく、この場合はスクリーンが表示媒体となる。また、プロジェクター等を用いて壁面等に表示することも可能であり、この場合は壁面自体が表示媒体となる。いずれにしても、表示媒体の種類は問わない。
【０１０７】
さらに、設定される単位期間は、日足、週足、月足、年足等問うものではなく、銘柄や株価の変動状況等に応じて任意に設定することができる。
【０１０８】
尚、該実施形態では、陽線を表示する場合すなわち単位期間内で始値が終値よりも高い場合に白色（白抜き）で表示され、且つ陰線を表示する場合すなわち始値が終値よりも安い場合に灰色に着色されているが、着色する色等はこれに限定されるものではなく、たとえば陽線を赤色で表示することも可能である。また、これ以外の色に着色することも可能であり、その色の種類は問わず、また模様の種類を変えて表示することも可能である。
【０１０９】
一方、陽線は白色とし、陰線を灰色以外の色、たとえば黄色、緑色、紫色等に着色することも可能である。いずれにしても、陰線が薄い色で着色されていれば、２箇所の始値の表示位置を結線する細線、２箇所の終値の表示位置を結線する細線、高値と安値の表示位置を結線する細線、２箇所の中間値の表示位置を結線する細線等が現出され、陽線と同様に判別することが可能となるのである。
【０１１０】
また、縦軸２の株価の設定や、縦軸２における単位寸法あたりの価格の設定も銘柄に応じて任意に変更可能である。
【０１１１】
さらに、上記実施形態では、チャートシートの右側に、余白欄17を形成したため、所定時期以後の株価情報を自分で記入することができ、常に最新のケイ線図を得ることができるという好ましい効果が得られたが、このような余白欄17を形成することは本発明に必須の条件ではない。
【０１１２】
尚、余白欄17を形成する場合、その余白欄17を構成する同行欄４の数は問うものではないが、以後の情報を長期間記入する必要がある場合には、数多くの同行欄４が形成されるように余白欄17のスペースを設定する必要がある。
【０１１３】
さらに、入力手段としては、すでに述べたようにパーソナルコンピューターのキーボードによる入力手段に限らず、証券取引所等からオンラインでリアルタイムに入力するような手段を採用することも可能であり、またその他の入力手段を採用することも可能である。
【０１１４】
さらに、出力手段も、大型印刷機又は大型プリンター等による出力手段に限定されず、パーソナルコンピューターと併用される一般のプリンターによる出力手段であってもよく、その手段は問わない。
【０１１５】
さらに、インターネットを利用して上記のような株価に関する情報を見るとともに出力することも可能である。この場合には、教授者が受講者に対して同じ場所で講義をする必要はなく、株式投資の知識の教授を受ける受講者が自宅で講義を受けることが可能となる。
【０１１６】
より詳細には、インターネットや一般家庭へのその他の通信手段の普及により、多数の受講者が同時に、また希望した個々の受講者が希望した時間にいつでも自宅にて在宅学習を受けることができ、インターネットその他の通信手段を利用することで、上記のような株式投資の知識の教授を、教育事業として提供できるという実益がある。
【０１１７】
また、チャートシート１に表示される情報は、手書きで表示されてもよい。
【０１１８】
さらに、上記実施形態では、単位期間の高値、安値、始値、終値等が、ケイ線表示部７で表示される他に、数字でも表示されていたが、このように数字で高値、安値、始値、終値等を表示することは、本発明に必須の条件ではない。ただし、本発明においては、大型の表示紙面を有する大きさにチャートシートが形成されるので、ケイ線表示部５のみならず、それ以外の多くの情報を表示することができるのである。
【０１１９】
さらに、教授者と受講者との双方が、同じチャートシートを利用する場合には、上述のように、チャートシートの単位期間ごとに識別表示部を形成することで好ましい効果が得られたが、このような識別表示を表示することは本発明に必須の条件ではない。
【０１２０】
さらに、教授者と受講者との双方が、同じチャートシートを利用する場合、たとえば剥離自在な着色されたシールを使用することができる。このような着色シールを複数色準備することで、たとえば赤色は高値、青色は安値等の種別を選定し、その上で高値、安値等の主要なポイントに着色シールを貼着すると、教授者が受講者に説明する際のポイントとなる高値、安値等の位置を特定するのが非常に容易となり、ひいては天井値、底値、相場の転換点その他等を説明をするのが非常に容易となる。
【０１２１】
この場合、着色シールを用いることに代えて、たとえばカラーのサインペンや色鉛筆等の筆記具を利用して、主要ポイントに同様の表示を行うことも可能である。
【０１２２】
さらに、日足，週足，月足，年足のいずれで表示することも可能であることは一般のチャートの場合と同様である。
【０１２３】
【発明の効果】
以上のように、本発明の株価分析用チャートシートは、始値若しくは終値が表示される２箇所の表示位置間の寸法によって定められるケイ線表示部の幅が、そのケイ線表示部が表示される単位期間内の出来高量に応じて寸法設定されて表示されるため、表示されるケイ線表示部の幅は出来高に比例することとなり、従ってそのケイ線表示部の幅の広狭によって日足，週足，月足，年足等に応じた単位期間内の出来高を一見して判断することが可能となる。
【０１２４】
また、単位期間内の始値を表す２箇所の表示位置が、それぞれ終値を表す２箇所の表示位置と縦方向に線で結合され、且つその始値を表す２箇所の表示位置又は終値を表す２箇所の表示位置と、高値を表す１箇所の表示位置又は安値を表す１箇所の表示位置が、それぞれ斜め方向に線で結合されてケイ線表示部が形成される場合には、高値又は安値の表示位置に結合される斜め方向の線のなす角度の大小、すなわちケイ線表示部の上下の形状が鋭利な楔形状であるか否か等によって、その高値又は安値が単位期間内において突出した価格であるか否か等が容易に判断することが可能となる。
【０１２５】
従って、たとえば従来のように長方形状の実体と線状のひげで構成されたケイ線表示部を表示し、且つ出来高を別の棒グラフで表示した株価分析用チャートに比べると、ケイ線表示部の上下先端部の形状や幅等によって、高値，安値の存在や出来高を視覚で把握するのが非常に容易となり、その結果、長期低迷や長期上昇等の相場の動きを考慮しつつ、単位期間表示部の上下先端部の形状や幅を見ることによって、相場上昇又は下降の転換点を一体的に一見して容易に予測することが可能になるという効果がある。
【０１２６】
また、このようにケイ線表示部の形状等によって、株価変動を容易に予測することが可能になるため、株式投資の熟練者はもちろん、初心者であっても容易に判断する事ができ、従来では主として専門家，熟練者等によって使用されていた株価分析用チャートを、一般投資家や初心者等にも広範に普及させることができるという実益がある。
【０１２７】
さらに、２箇所の始値の表示位置を細線で結線するとともに２箇所の終値の表示位置が細線を結線し、且つ高値の表示位置と安値の表示位置を細線で結線した場合には、始値、終値、高値、安値等の数値をより容易に判読することが可能となる。
【０１２８】
同様に、高値と安値との中間値の表示位置を、始値及び終値の表示位置と同じ２箇所の位置に設定するとともに、設定された２箇所の中間値の表示位置を細線で結線した場合には、中間値の数値をより容易に判読することが可能となる。
【０１２９】
さらに、２箇所の始値の表示位置を結線した細線、２箇所の終値の表示位置を結線した細線、及び２箇所の中間値の表示位置を結線した細線が表示されている場合には、これらの寸法を読み取ることで、出来高量も確認することができるという効果がある。
【０１３０】
さらに、ケイ線表示部のうち、陰線を表すケイ線表示部が、所定の薄さに着色される場合には、一般のケイ線表示部の陰線のように黒く塗りつぶされているわけでないので、上記のような２箇所の始値の表示位置を結線する細線、２箇所の終値の表示位置を結線する細線、高値と安値の表示位置を結線する細線、又は２箇所の中間値の表示位置を結線する細線が、陽線の場合と同様に明確に現出されるという効果がある。
【０１３１】
さらに、ケイ線表示部の輪郭線の太さが、該ケイ線表示部が表示される単位期間の出来高量に応じた太さに表示される場合には、出来高量の多い単位期間のケイ線表示部が、使用者の視覚により強く訴えることができるという効果がある。
【０１３２】
さらに、ケイ線表示部の他に、高値、安値、始値、終値、及び高値と安値との中間値、並びに出来高を、同じ単位期間の同行欄内に表示する場合には、高値、安値、始値、終値等が、出来高とともに数字として直接把握することができるという効果がある。
【０１３３】
また、これらの高値、安値、始値、終値、出来高等は、算用数字で縦に表示する場合には、ケイ線表示部のみならず、出来高その他の多くの数字情報を、単位期間の同行欄内に表示することができるという効果がある。
【０１３４】
さらに、一般のチャートでは、数字として欄外に表示されていたにすぎなかった一株株主資本について、その一株株主資本の数値に対応する縦軸上の位置の横方向に、１年分の期間にわたって一株株主資本表示部を形成した場合には、一株株主資本をチャートの紙面上で見ることができ、従って一株株主資本の数値と株価の動きの相関関係を一目で容易に把握することができる。
【０１３５】
また、一株株主資本の所定の倍率の数値に対応する縦軸上の位置の横方向に、１年分の期間にわたって株主資本表示部を形成した場合にも、その所定の倍率の数値と株価との相関関係を一目で容易に把握することができる。すなわち、一般に株価の変動の性質として、一株株主資本の所定の倍率の数値の近辺まで下落したとき、その一株株主資本の所定の倍率の数値の近辺から急激に上昇するという性質があり、この動向をチャート紙面上で容易に把握することができるのである。
【０１３６】
このように、上述のような株価分析用チャート表示シートを複数人が同時に保有し、或いは一連の株価分析用チャート表示システムを複数人が同時に利用することにより、たとえば株式投資の専門家である教授者と受講者との双方が同じ情報が表示されたチャートシート等の媒体を利用して、株価分析により相場の変動を予測する等の知識やノウハウ等を、教授者が受講者に教授することが可能になるという効果がある。
【０１３７】
特に、各単位期間を個々に識別することのできる識別表示が、単位期間ごとにチャートシートに表示されている場合には、そのようなチャートシートを、教授者と受講者との双方が所持し、単位期間ごとに表示された識別表示を特定しつつ、その識別表示で特定された単位期間の株価、出来高に基づいて教授者が受講者に教授することができる。
【０１３８】
また、大型表示紙面に表示できるため、たとえば一般投資家がほとんど入手することができなかった個別銘柄ごとの戦後東京証券取引所再開（昭和24年）以来の長期間の株価チャート、株価の数値データ、及び株価の変動要因その他等を一覧紙面で確認することができ、このような方法により、上述の大きな一覧紙面に基づいて株式投資の指導を受けることによって、株式投資技術の飛躍的な向上を図ることができる。
【図面の簡単な説明】
【図１】一実施形態としての株価分析用チャートシートの概略平面図。
【図２】ケイ線表示部を示す要部拡大平面図。
【図３】他実施形態の株価分析用チャートシートの要部拡大平面図。
【図４】他実施形態の株価分析用チャートシートの要部拡大平面図。
【図５】他実施形態の株価分析用チャートシートの要部拡大平面図。
【図６】他実施形態の株価分析用チャートシートの要部拡大平面図。
【図７】他実施形態の株価分析用チャートシートの概略平面図。
【図８】他実施形態の株価分析用チャートシートの概略平面図。
【図９】他実施形態の株価分析用チャートシートの概略拡大平面図。
【図１０】他実施形態の株価分析用チャートシートの要部拡大平面図。
【図１１】他実施形態の株価分析用チャートシートの要部拡大平面図。
【図１２】他実施形態の株価分析用チャートシートをさらに拡大した状態の要部拡大平面図。
【図１３】他実施形態の株価分析用チャートシートをさらに拡大した状態の要部拡大平面図。
【図１４】一実施形態としての株価分析用チャート表示システムの概略ブロック図。
【図１５】従来の株価分析用チャートシートの概略平面図。
【図１６】従来のケイ線表示部を示す要部拡大平面図。
【符号の説明】
１…株価分析用チャートシート      ２…縦軸
３…横軸                          ４…同行欄
５…ケイ線表示部                  ６…始値の表示位置
７…終値の表示位置                ８…高値の表示位置
９…安値の表示位置                10…識別表示
11…株主資本表示部                13…入力手段
14…出力手段
【図１】
2004199629.tif 000003
【図２】
2004199629.tif 000004
【図３】
2004199629.tif 000005
【図４】
2004199629.tif 000006
【図５】
2004199629.tif 000007
【図６】
2004199629.tif 000008
【図７】
2004199629.tif 000009
【図８】
2004199629.tif 000010
【図９】
2004199629.tif 000011
【図１０】
2004199629.tif 000012
【図１１】
2004199629.tif 000013
【図１２】
2004199629.tif 000014
【図１３】
2004199629.tif 000015
【図１４】
2004199629.tif 000016
【図１５】
2004199629.tif 000017
【図１６】
2004199629.tif 000018